(57)【要約】      （修正有）【課題】使用しない時は小さくでき、不要なときには簡単に取付け取り外しができる自転車両手運転用雨避け装置を提供する。【解決手段】フレーム４，６に支持された透明な樹脂を用いた２枚の雨避けガード３，５と、固定する装着固定部２より構成されている。２枚の雨避けガードはスライドして使用でき、又紫外線カット加工が施されているので雨天晴天に関わらず使用でき、デザイン性に富んだ装置であり、不要な時は簡単に自転車から取り去る事もできる。【選択図】図１
2011178382.tif 000002
【特許請求の範囲】
【請求項１】
雨避けガードは、ガードとこれを固定してスライドするフレームと任意の位置で固定するスライドストッパー、パイプ、補強板とを備え、これお自転車に装着するため取り付けベース、延長支時台、軸固定金具、ボルト、パイプクリップ、ナット、からなる装着固定部で構成された、自転車両手運転用雨避け装置
【請求項２】
前記、ガードとフレームは、風雨の抵抗を避ける為、半円弧状のアールを付けフレームに強度を付けるために補強板を固定、フレーム（４）をフレーム（６）の溝に沿って半円曲線状にスムーズなスライドにより、雨の当たる範囲を調整する、またこのフレーム間に帯状の鋼板２枚を重ね合わせて半円型を連続した山谷状の板バネ、スライドストッパーを取り付けスライドが任意の位置に固定することができる機構を特徴とする自転車両手運転用雨避け装置。
【請求項３】
前記のフレームの終端にそれぞれパイプを固定する、装着固定部の取付けベースの側面に、パイプクリップを２個取付け、パイプクリップお自転車のハンドルの外側に固定する、また取付けベースに２本のボルトを固定する、この固定ボルトに前記、雨避けガードのパイプを挿入して上部をナットにより固定する、このナットを取り除いたり付けたりする事により雨避けガードを装着固定部より取り外し取付けが簡単にできる事を、特徴とする自転車両手運転用雨避け装置。
【請求項４】
前記、ガードは透明性に優れ疵が付きにくく、雨を水滴にして弾く性質を有する樹脂材であり、紫外線カット加工を施すことにより直射日光より肌を守り雨天晴天を問わず使用することができることを特徴とする、請求項１から４項に記載の自転車両手運転用雨避け装置。
【請求項５】
請求項１から４記載の雨除けガードは簡素化のためガードとフレームをそれぞれ一体にして、コ型の溝を付けて成型加工することにより、軽量強固になり工程も少なく組立も簡単に行え、価格も３分の１程度に押えることが出来、デザイン性に富んだ自転車両手運転用雨避け装置。
【発明の詳細な説明】
【技術分野】
【０００１】
本発明は、雨天に傘をささずに両手で安全に自転車に乗る事ができるために用いる自転車両手運転用雨避け装置に関するものである。
【背景技術】
【０００２】
一般に、雨天自転車に乗るには、雨具を着用するか、傘をさして片手で運転するか、自転車に傘固定器具を取付ける方法がありますが、視界も悪く又安定した走行ができず交通事故多発の原因になります。
【０００３】
従来の物は傘を自転車に固定したりハンドルから荷台まで覆う装置ですが、特に幌又はシート等透明なビニールを使用して幌を袋状にした中にパイプを通しパイプを伸縮する構造などあるが、後者はパイプを何度も縮めたり伸ばしたり繰り返すと、ビニールが割れてきたり、キズが付いたりビニールはグシャグシャになったり寒さには硬くなり２から３回くらいの使用しか出来ず、また透明性が失われ視界も悪く取付け取り外しも面倒という問題点が多い装置です。（特許文献１参照）
【先行技術文献】
【特許文献】
【０００４】
【特許文献１】実用新案登録第３１３９２６３号
【特許文献２】実用新案登録第３０６４３５５号
【特許文献３】実用新案登録第３１３０３８０号
【特許文献４】実公平０３−１６７９２号
【発明の概要】
【発明が解決しようとする課題】
【０００５】
上記の従来装置は、視界が悪く取付け取り外しが不便と言う問題により交通事故の多発を招く恐れのある装置です。
この難点を解消して安全に自転車に乗る事ができる装置の発明が当自転車両手運転用雨避け装置である。
【課題を解決するための手段】
【０００６】
本発明の自転車両手運転用雨避け装置は、前記の欠点を長所に転換した装置です。透明性に優れ視界が良く、取付け取り外しが簡単に出来、何回の使用にも耐えられて、安全な走行を可能にするための装置であり、従来の装置とはまったく違う機構である、図１に示す如く雨避けガード（１）と、自転車のハンドルの外側に雨避けガード（１）を固定する装着固定部（２）より構成されている、視界を遮らず雨の強弱により２枚のガードをスライドして重ね合わせ雨を防ぐ範囲の調整が出来、視界も良く簡単に自転車に取付け取り外しが出来る装置です。
【０００７】
図３は１人乗り自転車のハンドルに、雨避けガード（１）を装着全開にした時（Ａ）晴天時に雨避けガード（１）を閉じた状態（Ｂ）を示した図面です、また図４は前籠、子供席付自転車のハンドルに雨避けガード（１）を装着して全開にした時（Ａ）また晴天時雨避けガード（１）を閉じた状態（Ｂ）を示した図面です、雨避けガード（１）は、水を弾き疵が付きにくく透明性が高い樹脂を使用しており紫外線カット加工により雨天晴天時に関わらず又何回でも使用する事が出来、デザイン性に富んだ乗り手に安全と優しさを提供できる自転車両手運転用雨避け装置です。
【発明の効果】
【０００８】
自転車両手運転用雨避け装置は図１の正面図（Ａ）側面図（Ｂ）に示すように従来の構造とは違い２枚のガードに円弧状のアールを付けたものをガイドに沿って重ね合わせて任意に、雨を防ぐ範囲の調整が簡単に出来る構造を有した雨避けガード（１）です。
ビニールシート、幌の様に折り目が付いたり、透明度が悪くなったり、寒さにより硬くなったりすることがなく紫外線カット加工により、雨天晴天にかかわらず使用する事が出来る装置。
【０００９】
前記雨避けガードは、晴天時など使用しない時は、図３の（Ｂ）図４の（Ｂ）に示すようにスライドして前記ガードを重ね合わせて小さくする、又雨避けガード（１）を装置固定部（２）より取り外す事が出来る図５、又完全に取り外す場合は装着固定部（２）雨避けガード（１）お含み軸固定金具（９）取付ベース（７）延長支持台（８）より簡単に取り外すことの出来る機構を有している。
【００１０】
此れにより従来の取付け取り外しの面倒視界の悪さデザイン性の悪さから解放され安全な運転ができ従来の物とは機構、構造が全く違うお洒落な自転車両手運転用雨避け装置である
【００１１】
雨の日に自転車の片手運転走行による交通事故増加に伴い自転車交通法が規制強化されましたが、法律で縛っても便利な乗り物である自転車の事故は減少するどころか増加の様相です．健康に良く人力で簡単に移動できる便利な安全な乗り物にする為に、本自転車両手運転用雨避け装置の取付けにより片手走行の無い安全で快適な乗り物となり、サイクリング通勤買物等に貢献大であり、現在のエコロジーにマッチした製品であり需要も高まり民間の活性化に寄与する事のできる装置である。
【図面の簡単な説明】
【００１２】
【図１】本発明に係る雨避けガードを自転車ハンドルに装着した正面図（Ａ）側面図（Ｂ）
【図２】雨避けガード全開時（Ａ）と閉じる（Ｂ）の相互関係機構図、
【図３】一人乗り自転車のハンドルに雨避けガードを、装着して全開にした時（Ａ）一人乗り自転車のハンドルに雨避けガードを、装着して閉じた時の（Ｂ）
【図４】前籠子供席付自転車のハンドルに装着した雨避けガードを、全開にした時（Ａ）前籠子供席付自転車のハンドルに装着した雨避けガードを、閉じた時（Ｂ）
【図５】雨避けガード（１）と装着固定部（２）の相互関係組立図
【図６】実施例のスライド詳細部分を示す図、ガード、フレーム構成図（Ａ）同上、ガード、フレーム一体に成型加工図（Ｂ）
【図７】ガードとフレームとスライドストッパーの相互詳細関係図、      スライド重ね合せた時の相互関係詳細図面（Ａ）      ガード、フレームをスライドした時の相互関係詳細図面（Ｂ）
【発明を実施するための形態】
【００１３】
本，自転車両手運転用雨避け装置は自転車のハンドルの外側に設置して、乗り手の身体及び頭上を覆う装置で図１は正面図（Ａ）側面図（Ｂ）に示す様に自転車のハンドルの外側に取り付けた雨避けガード（１）と円弧状透明ガード（３，５）ガードを固定してスライドするフレーム（４，６）を備え、閉じた時開いた時に前記ガードとフレームを任意の位置に固定するスライドストッパー（１４）を備えた事を特徴とする、またこれを自転車に固定する装着固定部（２）より構成されている、図２は前記の相互関係機構図である。  
【００１４】
雨避けガード（１）は、前記ガード（３，５）フレーム（４．６）に風の抵抗と雨を避ける為にそれぞれ半円形のアールを付けフレーム（４，６）に補強板を固定して強度とスムーズなスライドを可能にした図５、前記フレーム（４）はフレーム（６）をガイドとしてフレーム（６）の溝に沿って曲線スライドして重ね合わせる事により雨の当たる範囲を調整する、図７の（Ａ）（Ｂ）は、前記２対のフレーム（４）とガード（５）の間に帯状の２枚の鋼板に半円型を連続に加工した山谷状の板バネ、スライドストッパー（１４）を重ね合わせて取り付けフレーム（４）ガード（３）の開く閉じるのスライドが任意の位置に固定することができる転車両手運転用雨避け装置。
【００１５】
前記、ガード（３，５）は透明性に優れ疵が付きにくく雨を水滴にして弾く性質を有する樹脂材であり紫外線カット加工を施すことにより直射日光より肌を守り雨天晴天を問わず使用することができることを特徴とする自転車両手運転用雨避け装置。  
【実施例１】
【００１６】
雨避けガード（１）は、ガード（３，５）より構成され、図２の（Ａ）はガードお開いたとき、Ｂは閉じたときの機構図、ガード（３、５）とフレーム（４，６）もそれぞれ縦方向に半円径のアールを付ガード（５）及びフレーム（６）の終端部分は縦方向に一部分直線に加工を施した装置。
【実施例２】
【００１７】
前記段落番号「００１６」で加工された雨避けガード（１）は図７の（Ａ）同図（Ｂ）ガード（３）のフレーム（４）をガード（５）のフレーム（６）の溝に差し込みフレーム（６）をガイドとして図２の（Ａ）イの位置全開、同図の（Ｂ）のイ−１の位置閉にスライドして２枚を重ね合せる事により雨の当たる面積の調整をすることが出来る。
【実施例３】
【００１８】
前記段落番号「００１６」で図２図５フレーム（６）の終端の直線に加工された箇所にそれぞれパイプ（１０）を固定する、また装着固定部（２）の取付けベース（７）の側面にパイプクリップ（１２）を２個取付けクリップ（１２）お自転車のハンドルの外側に固定する、また取付けベース（７）に２本のボルト（１１）を固定する、この固定ボルト（１１）に前記、雨避けガード１のパイプ１０を挿入して上部をナット（１６）で固定する、このナット（１6）を取り除く事により雨避けガード（１）を装着固定部（２）より取り外す事が簡単にできる自転車両手運転用雨避け装置。
【００１９】
図５取付けベース（７）の底部分に軸固定金具（９）を２ケ所取付け下部を自転車前輪軸で固定して装着固定部（２）の取付けベース（７）延長支持台（８）を支えとする図１の（Ａ）（Ｂ）は取り付け状態図。
【００２０】
図３，４，５に示すごとく自転車に前籠子供席を付ける人の為に延長支持台（８）を取り付けベース（７）の左右側面２ケ所に固定する延長支持台（８）の背面部分にパイプクリップ（１３）を２ケ所取付け自転車のハンドル部分の外側に固定する，雨避けガード（１）を利用しなくなった時は前記同様にナット（１６）を取り除くことにより雨避けガード（１）を装着固定部（２）より取り外すことが出来る、また此のパイプクリップ（１３）と軸固定金具（９）を取り外すことにより延長支持台（８）取付けベース（７）を自転車より簡単に取り外す事ができる。
【００２１】
図６のＢは雨除けガード（１）の簡素化のためガード（３）とフレーム（４）ガード（５）とフレーム（６）をそれぞれ一体にしてコ型の溝を付けて成型加工することにより、軽量強固になり工程も少なく組立も簡単に行えて価格も３分の１程度に押えることが出来、デザイン性に富んだ装置。
【産業上の利用可能性】
【００２２】
自転車両手運転雨避け装置は簡単に取付、取り外しができ視界も良く、本装置を自転車に取付て走行する事により法律を守った安全な乗り物になり又紫外線カットで健康上身体によくデザインに優れた、自然な乗り物としての需要が高まり産業界、民間の活性化に貢献する自転車両手運転雨避け装置です。
【符号の説明】
【００２３】
１  雨避けガード
２  装置固定部
３  ガード
４  フレーム
５  ガード
６  フレーム、
７  取付けベース
８  延長支持台
９  軸固定金具
１０パイプ
１１ボルト
１２パイプクリップ
１３パイプクリップ
１４スライドストッパー
１５補強板
１６ナット
【図１】
2011178382.tif 000003
【図２】
2011178382.tif 000004
【図３】
2011178382.tif 000005
【図４】
2011178382.tif 000006
【図５】
2011178382.tif 000007
【図６】
2011178382.tif 000008
【図７】
2011178382.tif 000009